(57)【要約】【課題】ユーザの経験・知識を問わず、正常に終了させることができる画像記録装置を提供することを目的とする。【解決手段】終了処理の進行状況を外部にＬＥＤ発光や音声で通知することで、ユーザの経験・知識を問わず、正常に終了させることができ、処理動作中にユーザがＡＣ電源プラグを抜いてしまうことによりデータの破損や消失といった障害を防ぐことができるネットワーク監視装置を提供する。【選択図】図２
2011227963.tif 000002
【特許請求の範囲】
【請求項１】
装置内部の各部を制御するＣＰＵと、
複数の発光体からなる処理表示手段と、
押下されることで処理開始信号を前記ＣＰＵに出力する電源スイッチと、を備え、
前記ＣＰＵは前記電源スイッチより前記処理開始信号を受信すると、処理動作を開始し、処理の進行状況に応じて前記処理表示手段の発光を制御することを特徴とするネットワーク監視装置。
【請求項２】
前記処理表示手段は、さらに文字表示手段を有し、処理の進行状況に応じて文字を表示することを特徴とする請求項１に記載のネットワーク監視装置。
【請求項３】
電源スイッチが押下されて処理動作を開始するステップと、
処理の進行状況に応じて複数の発光体の発光を制御するステップと、
前記複数の発光体に対応付けられた場所に、処理の進行状況に応じて文字を表示するステップと、
を備えることを特徴とする処理状況表示方法。
【発明の詳細な説明】
【技術分野】
【０００１】
本発明は、ネットワークを介してカメラで撮像された画像を受信し、記録する画像記録装置に関する。
【背景技術】
【０００２】
画像監視システムは、ホテルやビル、コンビニエンスストア金融機関、ダムまたは道路等といった様々な公共施設等において、犯罪抑止や事故防止等の目的で設置されている。一般的な画像監視システムでは、カメラ等で監視対象エリアを撮像し、ネットワーク等を介し撮像された画像を管理事務所や警備室等の監視センタに伝送し、監視者が、伝送されてくる画像により監視対象を監視し、目的や必要に応じて注意や警告をしたり、画像を画像記録装置に記録・保存したりしている。
【０００３】
画像記録装置は、そのフロントパネルにボタンやＬＥＤ等が備わっている場合が多く、それぞれにその役割等が表示されている。
【０００４】
また、画像記録装置役割を果たした場合や交換する場合等には、本体の電源ボタンを押下する等して終了処理（シャットダウン）を行ってから、他の機器との物理的接続を絶ち、取り外している。
【０００５】
なお、従来技術として、画像記録装置のフロント部分にＬＥＤを設け、動作状態に応じて点灯、点滅、消灯させる手法が提供されている（特許文献１を参照）
【先行技術文献】
【特許文献】
【０００６】
【特許文献１】特開２００５−０９４２８０号公報
【発明の概要】
【発明が解決しようとする課題】
【０００７】
上述した画像記録装置においては、終了処理を行う際、処理にある程度の時間がかかるのだが、装置外部に終了処理中であることを通知する機能を有していないため、ユーザが終了処理中であるにもかかわらずＡＣ電源プラグをコンセントから抜いてしまい、内部データを破損、消失させてしまう障害が多発していた。
【０００８】
本発明はこのような問題を鑑みてなされたもので、ユーザの経験・知識を問わず、正常に終了させることができる画像記録装置を提供することを目的とする。
【課題を解決するための手段】
【０００９】
本発明のネットワーク監視装置は、装置内部の各部を制御するＣＰＵと、複数の発光体からなる処理表示手段と、押下されることで終了処理開始信号を前記ＣＰＵに出力する電源スイッチと、を備え、前記ＣＰＵは前記電源スイッチより前記終了処理開始信号を受信すると、終了処理動作を開始し、終了処理の進行状況に応じて前記処理表示手段の発光を制御することを特徴とする。
【００１０】
また、上記ネットワーク監視装置の前記処理表示手段は、さらに文字表示手段を有し、終了処理の進行状況に応じて文字を表示することを特徴とする。
【００１１】
また、本発明の終了処理状況表示方法は、電源スイッチが押下されて終了処理動作を開始するステップと、終了処理の進行状況に応じて複数の発光体の発光を制御するステップと、前記複数の発光体に対応付けられた場所に、処理の進行状況に応じて文字を表示するステップと、を備えることを特徴とする。
【発明の効果】
【００１２】
したがって本発明によれば、終了処理の進行状況を外部に通知することで、ユーザの経験・知識を問わず、正常に終了させることができ、データの破損や消失といった障害を防ぐことができるネットワーク監視装置を提供することができる。
【図面の簡単な説明】
【００１３】
【図１】ネットワーク画像監視システムの全体構成の一例を示すブロック図である。
【図２】本発明の一実施例の画像記録装置の外観を示す模式図である。
【図３】本発明の一実施例の画像記録装置の内部構成を示すブロック図である。
【図４】本発明の一実施例のＬＥＤ表示部の表示パターンテーブルを示す図である。
【発明を実施するための形態】
【００１４】
以下、図面を参照して本発明の実施形態について詳細に説明する。  
図１は、ネットワーク画像監視システムの全体構成の一例を示すブロック図である。
１０１は監視対象エリアを撮像して画像信号を出力するカメラ、１０２はカメラからの画像信号やセンサからのアラーム信号をデジタル化しエンコードしてネットワークに配信するエンコーダ、１０３は例えばドアセンサや動体検知センサ、赤外線センサ、熱センサ等の監視対象エリアにおける変化や異常等のイベントがあった際にアラーム信号を出力するセンサ、１０４は機器から発信されたデータを伝送するネットワークケーブルや無線ＬＡＮ（Local Area Network）、公衆回線等のネットワーク、１０５はネットワークＩ／Ｆと画像コーデック、画像表示機能を内蔵したＰＣ、１０６はＨＤＤ（Hard Disk Drive）やＳＳＤ（Solid State Drive）等を有し、ネットワークより伝送された画像等のデータを記録する画像記録装置である。本実施形態では、画像記録装置１０６とネットワーク１０４はＬＡＮで接続されるものとし、また画像記録装置１０６にはＨＤＤを搭載するものとして説明する。
【００１５】
ここで、本実施形態ではカメラとエンコーダを分離して記載するが、カメラとエンコーダが一体化したＷＥＢカメラを用いても同様の効果を奏することができる。また、センサ１０３は、エンコーダ以外にも、ネットワークに直接接続されていても良いし、画像記録装置１０６に接続されていても良く、カメラ１０２やエンコーダ１０４、画像記録装置１０６の筺体に人物が押下するためのアラーム記録ボタンとして設けられても良い。また、ネットワーク４にはルータやハブ等のネットワーク機器も含まれることとし、ネットワーク１０４に接続された各装置は、このネットワークを介して互いに通信し合うことができるものとする。
【００１６】
カメラ１０１は監視対象エリアを撮像して画像信号を出力し、エンコーダ１０２へ入力する。センサ１０３は監視対象エリアにおける変化や異常等を検知し、アラーム信号をエンコーダ１０２へ出力する。エンコーダ１０２は、画像信号やアラーム信号をデジタル化し、MPEG-4（Moving Picture Experts Group
phase 4）やMJPEG（Motion Joint Photographic
Experts Group）等の規格を用いて画像圧縮してエンコードし、ネットワーク１０４へ出力する。ＰＣ１０５は、ネットワーク１０４を介して伝送された画像データを受信し、画像表示が可能な形式にデコードし、モニタに表示する。また、マウスやキーボード等の操作Ｉ／Ｆを用いて、ＧＵＩ上で、ネットワーク１０４を介して画像記録配信装置に対し再生や早送り、各種設定、終了処理命令等の操作を行う。画像記録装置１０６は、ネットワークから伝送された画像データ等を受信し、記録する。
【００１７】
図２は、本発明の一実施例の画像記録装置の外観を示す模式図である。
２０１はユーザにより押下されることで画像記録装置１０６の電源のオン／オフを制御する電源スイッチ、２０２は画像記録装置１０６の処理や状態等を点灯／点滅／消灯で表示するＬＥＤ表示部、２０３は画像記録装置１０６の終了処理の進行状況等を表示する処理状況表示部、２０４はＡＣ電源プラグ、２０５はコンセントであり、ＡＣ電源プラグ２０４がコンセント２０５に挿入されることで、ＡＣ電源プラグ２０４を介して画像記録装置１０６に電力を供給する。なお、処理状況表示部２０３は、液晶やＬＥＤ等で電子的に様々に表示させることが望ましいが、コスト面からプリントやシール貼付で表示する様にしても良い。また、  ユーザに終了処理状況を通知するためには、ＬＥＤ表示部２０２および処理状況表示部２０３はユーザの視界に入り易い場所に設ける必要があるため、ＬＥＤ表示部２０２および処理状況表示部２０３は隣接もしくは対応付けられて設けられるのが望ましい。
【００１８】
ＡＣ電源プラグ２０４がコンセント２０５に挿入された状態で、ユーザが電源スイッチ２０１を押下すると画像処理装置１０６は起動し、電源がオン状態になる。画像記録装置１０６が起動するとＬＥＤ表示部２０２の「Power」ＬＥＤを例えば緑色に点灯する。電源に異常がある場合には赤色に点灯する様にしても良い。「Status」ＬＥＤは画像記録装置１０６の様々な状態に応じて表示され、例えば、正常状態（異常がない状態）時には緑色に、ファン(図示せず)停止エラーや温度異常エラー等の場合には赤色に、初期化処理中には橙色に点灯する。「Link」ＬＥＤは画像記録装置１０６とネットワーク１０４とのリンク状態が表示され、例えば正常にリンクされている場合には緑色に、リンクが異常である場合には赤色に点灯する。「Speed」ＬＥＤはＬＡＮの通信スピードが表示され、例えば10Mbpsの場合には緑色に、100Mbpsの場合には橙色に、1000Mbpsの場合には赤色に点灯する。「HDD1」「HDD2」ＬＥＤは画像記録装置１０６に内蔵されるＨＤＤ１，２の状態が表示され、例えば正常状態時には緑色に、異常状態時には赤色に点灯する。また、「HDD1」「HDD2」ＬＥＤはＨＤＤ１，２の記録容量に応じて表示される様にしても良く、記録容量に余裕があるときには緑色に、記録容量に余裕が少なくなってきたときには橙色に、記録容量がいっぱいになったときには赤色に点灯する様にしても良い。これらの表示方法は、予め記憶した図４に示すＬＥＤ表示部の表示パターンテーブルを参照して行われる。
【００１９】
電源がオン状態のときにユーザが電源スイッチ２０１を押下すると、画像記録装置１０６は終了処理を開始する。このとき、ＬＥＤ表示部２０２の全てのＬＥＤが例えば赤色に点灯し、同時に、処理状況表示部２０３に終了処理状況を表す表示がされる。処理状況表示部２０３上段には、例えば「終了処理（終了のＬＥＤが消灯するまで電源を抜かないでください）」等の注意文章を表示し、下段には、終了処理状況を例えば「HDD2」ＬＥＤの上に「１０％」、「HDD1」ＬＥＤの上に「２０％」、「Speed」ＬＥＤの上に「４０％」、「Link」ＬＥＤの上に「６０％」、「Status」ＬＥＤの上に「８０％」、「Power」ＬＥＤの上に「終了」という様にパーセンテージ表示する。終了処理の進行に伴い、「HDD2」ＬＥＤ（１０％）から左に向かって順々に消灯していき、終了処理の完了と同時に「Power」ＬＥＤ（終了）が消灯して、電源がオフとなる。
【００２０】
以上の説明では終了処理の場合で説明したが、終了処理とは逆に起動処理にも応用可能である。起動処理は終了処理と同じく処理の完了までにある程度の時間がかかる。ユーザが、画像記録装置１０６が起動し動作開始したことを確認するには、ＬＥＤにより起動処理の進行状況を視覚的、聴覚的に把握させることが有効的である。
【００２１】
図２において、電源がオフ状態のときにユーザが電源スイッチ２０１を押下すると、画像記録装置１０６は起動処理を開始する。このとき、ＬＥＤ表示部２０２の全てのＬＥＤが例えば赤色に点灯し、同時に、処理状況表示部２０３に起動処理状況を表す表示がされる。処理状況表示部２０３上段には、例えば「起動処理」等の文章を表示し、下段には、起動処理状況を例えば「HDD2」ＬＥＤの上に「１０％」、「HDD1」ＬＥＤの上に「２０％」、「Speed」ＬＥＤの上に「４０％」、「Link」ＬＥＤの上に「６０％」、「Status」ＬＥＤの上に「８０％」、「Power」ＬＥＤの上に「終了」という様にパーセンテージ表示する。起動処理の進行に伴い、「HDD2」ＬＥＤ（１０％）から左に向かって順々に消灯していき、起動処理の完了と同時に「Power」ＬＥＤ（終了）が消灯して、画像処理装置１０６の動作開始となる。動作開始後は、ＬＥＤ表示部２０２は上述した「Power」「Status」「Link」「Speed」「HDD1」「HDD2」それぞれのパラメータを状態に合わせて表示する。
【００２２】
なお、ここでは、ＬＥＤの表示パターンとして、右のＬＥＤ（１０％）から終了に向かって消灯していくパターンを記載したが、他にも、右のＬＥＤ（１０％）から終了に向かって順々に点灯していき、最後に「Power」ＬＥＤ（終了）が点灯してから動作開始とする様にしても良い。また、例えば終了処理状況が０％〜１０％の際には「HDD2」ＬＥＤ（１０％）が点滅し、１１％〜２０％の際には「HDD1」ＬＥＤ（２０％）が点滅し、２１％〜４０％の際には「Speed」ＬＥＤが点滅するといった様に、所定の範囲の処理状況にある場合に対応するＬＥＤを点滅表示する様にしても良い。
【００２３】
また、図示はしていないが、本実施形態では、起動処理状況および終了処理状況に応じてユーザが認識し易い様にスピーカ等から音声を発する様にする。
【００２４】
図３は本発明の一実施例の画像記録装置の内部構成を示すブロック図である。
３０１はSCH(System Control Hub)による通信を用いて画像処理装置１０６各部の制御やパラメータの検出を行うCPU（Central Processing Unit）、３０２はネットワーク１０４と画像等のデータを送受信するネットワーク通信部、３０３はネットワーク１０４を介してネットワーク通信部３０２から受信した画像データやＬＥＤ表示パターンを記録するＨＤＤ等の記録媒体、３０４はＡＣ電源プラグ２０４を介してコンセント２０５から画像記録装置１０６内の各部に電力を供給する電源部、３０５はＣＰＵ３０１の制御に従い点灯／点滅／消灯するＬＥＤ表示部、３０６はユーザに押下されることによりＣＰＵ３０１に起動処理または終了処理を開始するための信号を出力する電源スイッチ、３０７は起動処理や終了処理の進行状況等に応じて外部に音声を発する音声発生部である。
【００２５】
まず、起動処理時の各部の動作について説明する。
電源部３０４は、図２のＡＣ電源プラグ２０４を介してコンセント２０５から供給された電力を画像記録装置１０６内の各部に供給する。この状態で、図２の電源スイッチ２０１がユーザにより押下されると、電源スイッチ３０６はＣＰＵ３０１に対して起動処理を開始するための信号を出力する。ＣＰＵ３０１は、起動処理を開始するための信号を受信すると、起動処理を開始し、表示部３０５（図２のＬＥＤ表示部２０２および処理状況表示部２０３を含む）のＬＥＤを全て点灯させ、起動処理の進行状況に関する文字列や数値等を表示させ、さらに音声発生部７に起動、起動処理の進行状況に応じて音声を出力させる。
【００２６】
ＣＰＵ３０１は、例えば起動処理が１０％終了した場合には「HDD2」ＬＥＤ（１０％）を消灯させる信号を、起動処理が２０％終了した場合には「HDD1」ＬＥＤ（２０％）を消灯させる信号を表示部３０５に出力する等、起動処理の進行状況に応じた信号を表示部３０５に出力し、表示部３０５は受信した信号に応じてＬＥＤを点灯／点滅／消灯させる。
【００２７】
また、ＣＰＵ３０１は、例えば起動時には起動処理開始を示す電子音を、起動処理が１０％終了した場合には１０％終了した旨の音声を出力させる信号を音声発生部３０７に出力し、音声発生部３０７は起動、起動処理の進行状況に応じた音声を外部に出力する。
【００２８】
起動処理が完了すると、ＣＰＵ３０１は、「Power」ＬＥＤ（終了）を消灯させる信号および起動処理が完了した旨の表示をさせる信号を表示部３０５に出力して、表示部３０５に「Power」ＬＥＤ（終了）を消灯させ、起動処理が完了した旨の表示を行い、通常動作を開始する。
【００２９】
さらにＣＰＵ３０１は、画像処理装置１０６内の各部からパラメータを取得し、記録媒体３０３に格納してある図４の表示パターンテーブルを参照して各部の状態に応じた色でＬＥＤを点灯／点滅させるための信号を表示部３０５に出力する。表示部３０５は、受信した信号に従い、各部の状態に応じたＬＥＤ表示を行う。このとき、表示部３０５に正常や異常を示す文字列等を表示する様にしても良い。
【００３０】
次に、通常動作中の各部の動作について説明する。
ネットワーク１０４を介してカメラ１０１から伝送されてきた画像データをネットワーク通信部３０２が受信する。ＣＰＵ３０１はネットワーク通信部３０２から画像データを読み取り、記録媒体３０３に格納する。このとき、ＣＰＵ３０１と記録媒体３０３はＳＡＴＡ(Serial Advanced Technology Attachment) 通信規格を用いて通信される。
【００３１】
ＰＣ１０５等からネットワークを介して画像データの送信要求を受けると、ＣＰＵ３０１は記録媒体３０３より要求された画像データを読み出し、ネットワーク通信部３０２に出力する。ネットワーク通信部３０２はフォーマッティングされた圧縮画像データをネットワークの通信プロトコルに対応したフォーマットに再構成し、要求したＰＣ１０５等に向けてネットワークに送出する。
【００３２】
また、ＣＰＵ３０１は定期的に画像記録装置１０６内の各部のパラメータを取得し、記録媒体３０３に格納してある図４の表示パターンテーブルを参照して各部の状態に応じた色でＬＥＤを点灯／点滅させるための信号を表示部３０５に出力する。表示部３０５は、受信した信号に従い、各部の状態に応じたＬＥＤ表示を行う。このとき、表示部３０５に正常や異常を示す文字列等を表示する様にしても良い。
【００３３】
次に終了処理時の各部の動作について説明する。
図２の電源スイッチ２０１がユーザにより押下されると、電源スイッチ３０６はＣＰＵ３０１に対して終了処理を開始するための信号を出力する。ＣＰＵ３０１は、終了処理を開始するための信号を受信すると、終了処理を開始し、表示部３０５（図２のＬＥＤ表示部２０２および処理状況表示部２０３を含む）のＬＥＤを全て点灯させ、終了処理の進行状況に関する文字列や数値等を表示させ、さらに音声発生部７に終了、終了処理の進行状況に応じて音声を出力させる。
【００３４】
ＣＰＵ３０１は、例えば終了処理が１０％終了した場合には「HDD2」ＬＥＤ（１０％）を消灯させる信号を、終了処理が２０％終了した場合には「HDD1」ＬＥＤ（２０％）を消灯させる信号を表示部３０５に出力する等、終了処理の進行状況に応じた信号を表示部３０５に出力し、表示部３０５は受信した信号に応じてＬＥＤを点灯／点滅／消灯させる。
【００３５】
また、ＣＰＵ３０１は、例えば終了時には終了処理開始を示す電子音を、終了処理が１０％終了した場合には１０％終了した旨の音声を出力させる信号を音声発生部３０７に出力し、音声発生部３０７は終了、終了処理の進行状況に応じた音声を外部に出力する。
【００３６】
終了処理が完了すると、ＣＰＵ３０１は、「Power」ＬＥＤ（終了）を消灯させる信号および終了処理が完了した旨の表示をさせる信号を表示部３０５に出力して、表示部３０５に「Power」ＬＥＤ（終了）を消灯させ、終了処理が完了した旨の表示を行い、電源をオフする。
【００３７】
なお、本実施形態では、ＬＥＤの表示パターンとして、右のＬＥＤ（１０％）から終了に向かって消灯していくパターンを記載したが、他にも、右のＬＥＤ（１０％）から終了に向かって順々に点灯していき、最後に「Power」ＬＥＤ（終了）が点灯してから通常動作を開始または電源をオフにする様にしても良い。また、例えば処理状況が０％〜１０％の際には「HDD2」ＬＥＤ（１０％）が点滅し、１１％〜２０％の際には「HDD1」ＬＥＤ（２０％）が点滅し、２１％〜４０％の際には「Speed」ＬＥＤが点滅するといった様に、所定の範囲の処理状況にある場合に対応するＬＥＤを点滅表示する様にしても良い。
【００３８】
また、本実施形態では、ユーザが電源スイッチ３０６を押下したが、正常に起動処理および終了処理が開始されたのかわからず、何度も電源スイッチ３０６を押下してしまう可能性を低減するために、ＬＥＤ表示部２０２および処理状況表示部２０３の表示に加え、音声によりユーザに通知している。
音声発生部３０７はユーザの聴覚に呼びかけるため、処理状況をすぐに気付き認識できる様な音声を発する必要がある。起動処理時には、「起動処理を開始しました。しばらくこのままお待ちください。」「起動処理が４０％完了しました。しばらくこのままお待ちください。」「起動しました。」等の言語を発し、終了処理時には、「終了処理（シャットダウン）を開始しました。しばらくこのままお待ちください。」「終了処理が４０％完了しました。しばらくこのままお待ちください。」「終了しました。」等の言語を発し、明確に通知するのが望ましい。
【００３９】
また、電源スイッチ２０１は、チャタリング防止機構を設けるのが望ましい。これはユーザが電源スイッチ２０１を押下した際に、細かく速い機械的な振動によって細かなオン／オフの入力が繰り返されて誤動作を発生させないためである。これを防止するために、チャタリングの発生が予測されるユーザが電源スイッチ２０１を押下してから所定の期間は信号を入力しない様にする。
また、このチャタリングの防止は、ソフトウェアでも対処可能である。この場合、ユーザが電源スイッチ２０１を長押しすることで、一定時間以上入力が継続すると初めて電源をオンとする。電源オフの場合でも同様である。こうすることで、チャタリングが発生する可能性のある期間の信号に影響されずに電源のオン／オフが可能となる。
【００４０】
以上に説明した様に、本発明によれば、終了処理動作の進行状況を外部に通知することで、ユーザの経験・知識を問わず、正常に終了させることができ、データの破損や消失といった障害を防ぐことができるネットワーク監視装置を提供することができる。
【００４１】
また、もし、起動処理中および終了処理中にＬＥＤ表示部２０２が順番に点灯しなければ、正常に動作していないという通知にもなるため、異常があることをユーザがいち早く判断することが可能となる。さらに、ＬＥＤ表示部の表示状況によって、どこが故障しているのか明確になるため、その後素早く対応することが可能となる。
【００４２】
なお、本発明は上記各実施形態に限定されるものではない。例えば、上記実施形態では、画像記録装置にＬＥＤ表示してユーザが状態を認識できる様にしているが、この他にも同様のネットワーク監視機器であるネットワークカメラ等にＬＥＤ表示させることもできる。
【００４３】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００４４】
１０１：カメラ、１０２：エンコーダ、１０３：センサ、１０４：ネットワーク、１０５：ＰＣ、１０６：画像記録装置、２０１：電源スイッチ、２０２：ＬＥＤ表示部、２０３：処理状況表示部、２０４：ＡＣ電源プラグ、２０５：コンセント、３０１：ＣＰＵ、３０２：ネットワーク通信部、３０３：記録媒体、３０４：電源部、３０５：表示部、３０６：電源スイッチ、３０７：音声発生部。
【図１】
2011227963.tif 000003
【図２】
2011227963.tif 000004
【図３】
2011227963.tif 000005
【図４】
2011227963.tif 000006